(57)【特許請求の範囲】
【請求項１】
カードコネクタであって、
カードを搭載するトレイであって、その近位側に立設され、貫通孔が形成された板部を有する前記トレイと、
前記トレイを挿入するソケットであって、前記トレイの前記貫通孔に対向する位置に設けられ、前記貫通孔から挿入されたピンによる押し込み操作に応じて、挿入された前記トレイを取り出すイジェクタを有する前記ソケットと、を備え、
前記ソケットが、その近位部から前記トレイの挿入方向に対して上下いずれか斜め方向に延在し、前記イジェクタよりも近位側において前記トレイの被係合部に係合するロック部を有し、
前記ロック部が、前記貫通孔から挿入されたピンによって平滑化されることにより、前記トレイの被係合部との係合が解除され、
前記イジェクタが、前記ロック部を平滑化させた前記ピンによって押し込み操作されることを特徴とするカードコネクタ。
【請求項２】
前記ソケットが、前記トレイを収容するハウジングを有し、
前記ロック部が、前記ハウジングの近位部から前記トレイの挿入方向に対して上斜め方向に延在することを特徴とする請求項１に記載のカードコネクタ。
【請求項３】
前記ソケットが、前記ハウジングを覆うシェルを有し、
前記シェルが、その近位部から前記ロック部の少なくとも上方を覆うように延在する延在部を有し、
前記延在部が、前記ロック部を平滑化させる前記ピンの少なくとも上方への逃げを規制することを特徴とする請求項２に記載のカードコネクタ。
【請求項４】
前記延在部が、前記ピンの挿入経路を狭める凹陥部を有することを特徴とする請求項３に記載のカードコネクタ。
【請求項５】
前記ソケットが、前記トレイを収容するハウジングと、前記ハウジングを覆うシェルと、を有し、
前記ロック部が、前記シェルの近位部から前記トレイの挿入方向に対して下斜め方向に延在することを特徴とする請求項１に記載のカードコネクタ。
【請求項６】
前記ハウジングが、その近位部から前記ロック部の少なくとも下方を覆うように延在する延在部を有し、
前記延在部が、前記ロック部を平滑化させる前記ピンの少なくとも下方への逃げを規制することを特徴とする請求項５に記載のカードコネクタ。
【発明の詳細な説明】
【技術分野】
【０００１】
本発明は、トレイを介してカードを挿入するカードコネクタに関する。
【背景技術】
【０００２】
従来、パーソナルコンピュータ、携帯電話機、スマートフォン、ＰＤＡ（Ｐｅｒｓｏｎａｌ Ｄｉｇｉｔａｌ Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ Ｉｄｅｎｔｉｔｙ Ｍｏｄｕｌｅ）カード、ＭＭＣ（Ｒ）（Ｍｕｌｔｉ Ｍｅｄｉａ Ｃａｒｄ）、ＳＤ（Ｒ）（Ｓｅｃｕｒｅ Ｄｉｇｉｔａｌ）カード、ｍｉｎｉＳＤ（Ｒ）カード、ｘＤピクチャーカード（Ｒ）（ｘＤ−Ｐｉｃｔｕｒｅ ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種メモリカードを利用するために、カードコネクタを備えている。
【０００３】
カードコネクタとしては、カードを直接挿入するタイプと、カードが搭載されたトレイを挿入するタイプとがあり、後者においては、トレイの形状を任意に設計できるので、トレイの取り出しをロックするロック機構や、ピンの挿入操作でトレイを取り出すイジェクタを比較的容易に構成できるという利点がある。例えば、特許文献１には、イジェクタの側部に設けた凸部をバネ力でトレイの凹部に係合させることにより、トレイの取り出しをロックする一方、イジェクタを押し込み操作するピンの挿入に応じてロック解除されるロック機構を備えたカードコネクタが開示されている。
【先行技術文献】
【特許文献】
【０００４】
【特許文献１】特開２０１２−２３４６６９号公報
【発明の概要】
【発明が解決しようとする課題】
【０００５】
しかしながら、特許文献１に示すようなカードコネクタでは、実装されるスマートフォンなどが落下した場合でも、トレイの飛び出しを防止するために、ロック機構のバネ力を強くする必要があるので、ピンを押し込んでロックを解除しようとしても、バネ力が強すぎてロックを解除できないという事態が発生する虞があった。また、ロック機構のバネは、カードコネクタの部品点数を増加させるだけでなく、カードコネクタを大型化させる虞があった。例えば、特許文献１のカードコネクタでは、イジェクタの外側部にバネを配置しているので、カードコネクタの幅寸法が大きくなるという問題があった。
【０００６】
そこで、本発明は、上記の問題点に鑑みなされたものであって、トレイの飛び出しを規制するロック機構を設けるにあたり、バネ力に依存しないロック機構を構成し、そのロック解除操作を容易にするとともに、バネを省略して部品点数の削減や小型化が図れるカードコネクタの提供を目的とする。
【課題を解決するための手段】
【０００７】
本発明は上記目的を達成するために提案されたものであり、請求項１に係る発明は、カードコネクタであって、カードを搭載するトレイであって、その近位側に立設され、貫通孔が形成された板部を有する前記トレイと、前記トレイを挿入するソケットであって、前記トレイの前記貫通孔に対向する位置に設けられ、前記貫通孔から挿入されたピンによる押し込み操作に応じて、挿入された前記トレイを取り出すイジェクタを有する前記ソケットと、を備え、前記ソケットが、その近位部から前記トレイの挿入方向に対して上下いずれか斜め方向に延在し、前記イジェクタよりも近位側において前記トレイの被係合部に係合するロック部を有し、前記ロック部が、前記貫通孔から挿入されたピンによって平滑化されることにより、前記トレイの被係合部との係合が解除され、前記イジェクタが、前記ロック部を平滑化させた前記ピンによって押し込み操作されることを特徴とする。
【０００８】
また、請求項２に係る発明は、前記ソケットが、前記トレイを収容するハウジングを有し、前記ロック部が、前記ハウジングの近位部から前記トレイの挿入方向に対して上斜め方向に延在する。
【０００９】
また、請求項３に係る発明は、前記ソケットが、前記ハウジングを覆うシェルを有し、前記シェルが、その近位部から前記ロック部の少なくとも上方を覆うように延在する延在部を有し、前記延在部が、前記ロック部を平滑化させる前記ピンの少なくとも上方への逃げを規制する。
【００１０】
また、請求項４に係る発明は、前記延在部が、前記ピンの挿入経路を狭める凹陥部を有する。
【００１１】
また、請求項５に係る発明は、前記ソケットが、前記トレイを収容するハウジングと、前記ハウジングを覆うシェルと、を有し、前記ロック部が、前記シェルの近位部から前記トレイの挿入方向に対して下斜め方向に延在する。
【００１２】
また、請求項６に係る発明は、前記ハウジングが、その近位部から前記ロック部の少なくとも下方を覆うように延在する延在部を有し、前記延在部が、前記ロック部を平滑化させる前記ピンの少なくとも下方への逃げを規制する。
【発明の効果】
【００１３】
本発明によれば、トレイの飛び出しを規制するロック機構を設けるにあたり、バネ力に依存しないロック機構を構成し、そのロック解除操作を容易にするとともに、バネを省略して部品点数の削減や小型化が図れる。
【図面の簡単な説明】
【００１４】
【図１】本発明の第１実施形態に係るカードコネクタ（カード未搭載）の斜視図である。
【図２】本発明の第１実施形態に係るカードコネクタ（カード未搭載、シェル省略）の斜視図である。
【図３】本発明の第１実施形態に係るカードコネクタ（カード搭載、シェル省略）の斜視図である。
【図４】本発明の第１実施形態に係るカードコネクタ（カード未搭載）においてピンを挿入した状態を示す斜視図である。
【図５】本発明の第１実施形態に係るカードコネクタ（カード未搭載、シェル省略）においてピンを挿入した状態を示す斜視図である。
【図６】本発明の第１実施形態に係るカードコネクタ（カード未搭載、シェル省略）においてピンでイジェクタを押し込んだ状態を示す斜視図である。
【図７】本発明の第１実施形態に係るカードコネクタのロック部を示す要部拡大斜視図である。
【図８】本発明の第１実施形態に係るカードコネクタのロック部がトレイの被係合部に係合した状態を示す要部拡大斜視図である。
【図９】本発明の第１実施形態に係るカードコネクタのトレイ取り出し操作時のロック解除動作を示す説明図であり、（ａ）はピンを挿入した状態を示す要部拡大斜視図、（ｂ）はピンでロック部を平滑化（ロック解除）させた状態を示す要部拡大斜視図、（ｃ）はピンでイジェクタを押し込んだ状態を示す要部拡大斜視図である。
【図１０】本発明の第１実施形態に係るカードコネクタのトレイ取り出し操作時のロック解除動作を示す説明図であり、（ａ）はピンを挿入した状態を示す要部拡大側面図、（ｂ）はピンでロック部を平滑化（ロック解除）させた状態を示す要部拡大側面図、（ｃ）はピンでイジェクタを押し込んだ状態を示す要部拡大側面図である。
【図１１】本発明の第２実施形態に係るカードコネクタ（カード未搭載、シェル省略）においてピンを挿入した状態を示す斜視図である。
【図１２】本発明の第３実施形態に係るカードコネクタのトレイ取り出し動作を示す説明図であり、（ａ）はピンを挿入した状態を示す要部拡大側面図、（ｂ）はピンでロック部を平滑化（ロック解除）させた状態を示す要部拡大側面図、（ｃ）はピンでイジェクタを押し込んだ状態を示す要部拡大側面図である。
【発明を実施するための形態】
【００１５】
以下、本発明に係る好適な実施形態について、図面を参照しながら詳細に説明する。
【００１６】
図１は、本発明の第１実施形態に係るカードコネクタ（カード未搭載）の斜視図、図２は、本発明の第１実施形態に係るカードコネクタ（カード未搭載、シェル省略）の斜視図、図３は、本発明の第１実施形態に係るカードコネクタ（カード搭載、シェル省略）の斜視図である。
図１〜図３に示すように、本発明の実施形態に係るカードコネクタＣは、カード２、３を搭載するトレイ１０１と、トレイ１０１を挿入するソケット１とを備える。
【００１７】
カード２、３は、トレイ１０１に搭載された状態で、図示しない電子機器に取付けられたソケット１に挿入されることにより、電子機器に装着される。なお、電子機器は、例えば、パーソナルコンピュータ、携帯電話機、スマートフォン、ＰＤＡ、デジタルカメラ、ビデオカメラ、音楽プレーヤ、ゲーム機、車両用ナビゲーション装置等であるが、いかなる種類の機器であってもよい。
【００１８】
また、カード２、３は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカードであり、いかなる種類のカードであってもよいが、本実施形態においては、カード２、３がマイクロＳＩＭ（ｍｉｃｒｏＳＩＭ）カードであるものとして説明する。
【００１９】
なお、本実施形態において、カードコネクタＣ、ソケット１、トレイ１０１及びカード２、３の各部の構成及び動作を説明するために使用される上、下、左、右、前、後等の方向を示す表現は、絶対的なものでなく相対的なものであり、カードコネクタＣ、ソケット１、トレイ１０１、カード２、３又はそれらの部品が図に示される姿勢である場合に適切であるが、カードコネクタＣ、ソケット１、トレイ１０１、カード２、３又はそれらの部品の姿勢が変化した場合には、姿勢の変化に応じて変更して解釈されるべきものである。
【００２０】
トレイ１０１は、樹脂製又は金属製であって、カード２、３を収容するトレイ本体１１１と、トレイ本体１１１の近位側に立設される前板部１２１（板部）とを有する。前板部１２１は、トレイ１０１がソケット１に挿入されたとき、ソケット１の挿入口１ａを覆う形状を有するとともに、その一端部には、トレイ１０１を取り出し操作する際にピン４を挿入するための貫通孔１２２が形成されている。
【００２１】
本実施形態のトレイ本体１１１には、カード２、３を搭載可能な２つのカード搭載部１１２、１１３が前後に並ぶように形成されている。各カード搭載部１１２、１１３は、底部が開口しており、下面に接続パッド（図示せず）が設けられたカード２、３を各カード搭載部１１２、１１３に搭載すると、開口を介してカード２、３の接続パッドが露出される。なお、本実施形態のトレイ１０１は、２つのカード搭載部１１２、１１３を有するが、カード搭載部１１２、１１３の数は任意であり、また、カード搭載部１１２、１１３の配列も任意に変更することができる。
【００２２】
ソケット１は、補強部材である金属板部１１ａ（例えば、図７参照）と絶縁部材である樹脂部１１ｂ（例えば、図７参照）とをインサートモールド成形等によって一体的に組み合わせてなるハウジング１１と、金属等の導電性材料からなる板材に打抜き、折曲げ等の加工を施すことによって一体的に成形され、ハウジング１１の上側に取り付けられたカバー部材としてのシェル６１とを有し、前端部に形成された挿入口１ａから挿入されるトレイ１０１を収容するとともに、トレイ１０１に搭載されたカード２、３と電気的に接続される。
【００２３】
ハウジング１１は、実装される基板面に沿う底板部１２と、底板部１２の一側縁から立ち上がる右側壁部１３と、底板部１２の他側縁から立ち上がる左側壁部１４とを有しており、底板部１２は、カード２用である６つの接続端子５１が取り付けられる第１の端子保持部１５と、カード３用である６つの接続端子５２が取り付けられる第２の端子保持部１６とを備える。なお、本実施形態では、インサートモールド成形により接続端子５１、５２をハウジング１１の樹脂部に一体的に取り付けているが、ハウジング１１に対する接続端子５１、５２の取り付け方法は適宜変更することができる。
【００２４】
接続端子５１、５２は、接触部５１ａ、５２ａと基板接続部５１ｂ、５２ｂとを有する。接触部５１ａ、５２ａは、底板部１２から後方に向けて上斜め方向に延在しており、挿入されるトレイ１０１に搭載されたカード２、３の接続パッドに弾性的に接触して電気的に接続される。また、基板接続部５１ｂ、５２ｂは、電子機器の基板に形成された配線パターンに対し、半田付け等によって電気的に接続される。
【００２５】
図４は、本発明の第１実施形態に係るカードコネクタ（カード未搭載）においてピンを挿入した状態を示す斜視図、図５は、本発明の第１実施形態に係るカードコネクタ（カード未搭載、シェル省略）においてピンを挿入した状態を示す斜視図、図６は、本発明の第１実施形態に係るカードコネクタ（カード未搭載、シェル省略）においてピンでイジェクタを押し込んだ状態を示す斜視図である。
図４〜図６に示すように、ハウジング１１には、ソケット１に挿入されたトレイ１０１を、ピン４の押し込み操作に応じて取り出すイジェクタ５３が設けられている。
【００２６】
本実施形態のイジェクタ５３は、ハウジング１１の一側縁部に沿って配置され、トレイ１０１の挿抜方向である前後方向にスライド自在なイジェクトバー５４と、ハウジング１１の後縁部に沿って配置され、支軸５５ａを支点として前後揺動自在なイジェクトレバー５５とを備えて構成されている。イジェクトバー５４の前端部は、トレイ１０１の貫通孔１２２と対向する位置に配置されており、ここにピン４によって押し込まれる押し込み部５４ａが形成されている。イジェクトレバー５５の一端部は、イジェクトバー５４の後端に後方から当接し、イジェクトレバー５５の他端部は、ソケット１に挿入されたトレイ１０１の後縁部に後方から当接する。
【００２７】
すなわち、ソケット１にトレイ１０１を挿入すると、イジェクトレバー５５の他端部がトレイ１０１の後縁部で押されるのに伴い、イジェクトレバー５５が揺動し、その一端部がイジェクトバー５４を前方に押し出す。これにより、イジェクトバー５４が取り出し準備位置に待機する。
【００２８】
一方、ソケット１に挿入されたトレイ１０１を取り出す際には、トレイ１０１の貫通孔１２２からピン４を挿入し、その先端でイジェクトバー５４の押し込み部５４ａを押し込み操作する。この押し込み操作に応じてイジェクトバー５４が後退すると、イジェクトレバー５５の一端部が後方に押されるのに伴い、イジェクトレバー５５が揺動し、その他端部がトレイ１０１の後縁部を前方に押し出す。これにより、トレイ１０１の近位側が挿入口１ａから所定量突出し、トレイ１０１の取り出しが可能になる。
【００２９】
なお、イジェクトレバー５５の他端部近傍には、第１接点部材５６と第２接点部材５７とで構成され、トレイ１０１の挿入を検出するトレイ挿入検出スイッチが配設されているが、このトレイ挿入検出スイッチは、必要に応じて省略することができる。
【００３０】
図７は、本発明の第１実施形態に係るカードコネクタのロック部を示す要部拡大斜視図、図８は、本発明の第１実施形態に係るカードコネクタのロック部がトレイの被係合部に係合した状態を示す要部拡大斜視図である。
図７及び図８に示すように、ハウジング１１には、その近位部からトレイ１０１の挿入方向に対して上斜め方向に延在し、イジェクトバー５４の押し込み部５４ａよりも近位側においてトレイ１０１の被係合部１１４に係合するロック部１７が設けられている。本実施形態では、ハウジング１１の補強部材である金属板部１１ａを利用してロック部１７を形成されており、具体的には、金属板部１１ａの近位側端部から外側方に延在する延在部１８と、延在部１８の後縁部から後方に向かって上斜め方向に延在するロック部１７とを付加している。
【００３１】
トレイ１０１の被係合部１１４は、トレイ本体１１１の近位側の一側面部に形成されており、ロック部１７との係合によってトレイ１０１の取り出しをロックする段差状のロック溝１１４ａと、ロック溝１１４ａの後方に連続形成され、ロック部１７との係合を傾斜ガイドする傾斜部１１４ｂとを有する。すなわち、ソケット１にトレイ１０１を挿入すると、ロック部１７が傾斜部１１４ｂの傾斜ガイドを受けて下方に変位（弾性変形）するとともに、傾斜部１１４ｂの前端頂部を乗り越えてロック溝１１４ａに係合し、トレイ１０１の取り出しをロックする。そして、このロックは、バネ力や摩擦力に依存しないため、落下等による衝撃を受けても解除し難い。また、ロック部１７によるロックは、ピン４によるトレイ１０１の取り出し操作に応じて解除されるが、その動作は後述する。
【００３２】
シェル６１は、略矩形の天板部６２と、天板部６２の左右側縁から下方に延在する側板部６３と、天板部６２の後縁から下方に延在する後板部６４とを有する。側板部６３及び後板部６４には、複数の係合孔６５が形成されており、シェル６１をハウジング１１の上側に取付ける際、これらの係合孔６５がハウジング１１側に形成される係合突起１９に係合することによって、シェル６１がハウジング１１に固定される。
【００３３】
また、シェル６１は、側板部６３及び後板部６４の下端部から外側方に延在する複数の実装部６６を有する。これらの実装部６６は、電子機器の基板に形成されたグランドパターンに対し、半田付け等によって電気的に接続される。これにより、シェル６１は、電子機器の基板に対して強固に固定されるとともに、良好なノイズ遮蔽機能を発揮することが可能になる。
【００３４】
また、シェル６１は、その近位部からロック部１７の上方を覆うように延在する第１延在部６７と、第１延在部６７の外端部から下方に延在する第２延在部６８とを有している。第１延在部６７及び第２延在部６８は、ピン４の挿入経路を規定しており、その作用は後述する。
【００３５】
つぎに、カードコネクタＣにおけるトレイ取り出し操作時のロック解除動作について、図９及び図１０を参照して説明する。
【００３６】
図９は、本発明の第１実施形態に係るカードコネクタのトレイ取り出し操作時のロック解除動作を示す説明図であり、（ａ）はピンを挿入した状態を示す要部拡大斜視図、（ｂ）はピンでロック部を平滑化（ロック解除）させた状態を示す要部拡大斜視図、（ｃ）はピンでイジェクタを押し込んだ状態を示す要部拡大斜視図、図１０は、本発明の第１実施形態に係るカードコネクタのトレイ取り出し操作時のロック解除動作を示す説明図であり、（ａ）はピンを挿入した状態を示す要部拡大側面図、（ｂ）はピンでロック部を平滑化（ロック解除）させた状態を示す要部拡大側面図、（ｃ）はピンでイジェクタを押し込んだ状態を示す要部拡大側面図である。
【００３７】
図９の（ａ）及び図１０の（ａ）に示すように、ソケット１にトレイ１０１が挿入された状態では、ハウジング１１のロック部１７がトレイ１０１の被係合部１１４に係合し、トレイ１０１の取り出しがロックされている。また、イジェクタ５３のイジェクトバー５４は、取り出し準備位置に待機している。
【００３８】
ここで、図９の（ａ）及び図１０の（ａ）に示すように、トレイ１０１の貫通孔１２２からピン４を挿入するとともに、図９の（ｂ）及び図１０の（ｂ）に示すように、ロック部１７の位置までピン４を押し込んでいくと、ピン４がロック部１７の上面である傾斜面を押すことにより、ロック部１７が下方に押されて平滑化される。それに伴い、ロック部１７がトレイ１０１の被係合部１１４から外れ、トレイ１０１の取り出しロックが解除される。このとき、ピン４は、シェル６１の第１延在部６７によって上方への逃げが規制されるとともに、第２延在部６８によって外側方への逃げが形成されることにより、ロック部１７を確実に平滑化させることができる。そして、ロック解除後、さらにピン４を押し込むと、イジェクトバー５４の押し込み部５４ａがピン４によって押し込まれ、前述したイジェクタ５３のトレイ取り出し動作によってトレイ１０１が取り出される。
【００３９】
以上に述べた実施形態によれば、カードコネクタＣは、カード２、３を搭載するトレイ１０１と、トレイ１０１を挿入するソケット１とを備え、トレイ１０１は、その近位側に立設され、貫通孔１２２が形成された前板部１２１を有し、ソケット１は、トレイ１０１の貫通孔１２２に対向する位置に設けられ、貫通孔１２２から挿入されたピン４による押し込み操作に応じて、挿入されたトレイ１０１を取り出すイジェクタ５３と、ソケット１の近位部からトレイ１０１の挿入方向に対して上下いずれか斜め方向に延在し、イジェクタ５３よりも近位側においてトレイ１０１の被係合部１１４に係合するロック部１７とを有する。そして、ロック部１７が、貫通孔１２２から挿入されたピン４によって平滑化されることにより、トレイ１０１の被係合部１１４との係合が解除され、イジェクタ５３が、ロック部１７を平滑化させたピン４によって押し込み操作される。したがって、トレイ１０１の飛び出しを規制するロック機構を設けるにあたり、バネ力に依存しないロック機構を構成できるので、ロック機構のロック解除操作を容易にするとともに、バネを省略して部品点数の削減や小型化が図れる。
【００４０】
また、本実施形態では、ソケット１が、トレイ１０１を収容するハウジング１１を有し、ロック部１７が、ハウジング１１の近位部からトレイ１０１の挿入方向に対して上斜め方向に延在するように設けられているので、ハウジング１１の一部を利用してロック部１７を構成することができる。
【００４１】
また、本実施形態では、ソケット１が、ハウジング１１を覆うシェル６１を有し、シェル６１が、その近位部からロック部１７の少なくとも上方を覆うように延在する第１延在部６７を有し、この第１延在部が、ロック部１７を平滑化させるピン４の少なくとも上方への逃げを規制するので、ピン４によってロック部１７を確実に平滑化させることができる。
【００４２】
つぎに、本発明の第２実施形態に係るカードコネクタＣについて、図１１を参照して説明する。ただし、前記実施形態と共通の構成については、前記実施形態と同じ符号を付与することにより、前記実施形態の説明を援用する。
【００４３】
図１１は、本発明の第２実施形態に係るカードコネクタ（カード未搭載、シェル省略）においてピンを挿入した状態を示す斜視図である。
図１１に示すように、本発明の第２実施形態に係るカードコネクタＣは、第１延在部６７が、ピン４の挿入経路を狭める凹陥部６７ａを有する点が前記実施形態と相違している。このような凹陥部６７ａを第１延在部６７に形成すると、規定よりも細いピン４が挿入された場合であっても、ロック部１７を平滑化させ、トレイ１０１のロックを解除することが可能になる。
【００４４】
つぎに、本発明の第３実施形態に係るカードコネクタＣについて、図１２を参照して説明する。ただし、前記実施形態と共通の構成については、前記実施形態と同じ符号を付与することにより、前記実施形態の説明を援用する。
【００４５】
図１２は、本発明の第３実施形態に係るカードコネクタのトレイ取り出し動作を示す説明図であり、（ａ）はピンを挿入した状態を示す要部拡大側面図、（ｂ）はピンでロック部を平滑化（ロック解除）させた状態を示す要部拡大側面図、（ｃ）はピンでイジェクタを押し込んだ状態を示す要部拡大側面図である。
図１２に示すように、本発明の第３実施形態に係るカードコネクタＣは、トレイ１０１の被係合部１１４が上下逆向きに形成されており、被係合部１１４に係合するロック部６９が、ハウジング１１側ではなく、シェル６１側に形成されている点が前記実施形態と相違している。具体的には、ロック部６９が、シェル６１の近位部からトレイ１０１の挿入方向に対して下斜め方向に延在するように形成されている。このようにすると、第１実施形態と同様の作用効果が得られるとともに、シェル６１の一部を利用してロック部６９を構成することができる。
【００４６】
また、第３実施形態のカードコネクタＣでは、ハウジング１１が、その近位部からロック部６９の少なくとも下方を覆うように延在する延在部２１を有し、この延在部２１が、ロック部６９を平滑化させるピン４の少なくとも下方への逃げを規制するので、ピン４によってロック部６９を確実に平滑化させることができる。
【００４７】
以上、本発明の好ましい実施形態について詳述したが、本発明は上述した実施形態に限定されるものではなく、特許請求の範囲に記載された本発明の要旨の範囲内において、種々の変形、変更が可能である。
【符号の説明】
【００４８】
Ｃ…カードコネクタ、１…ソケット、１ａ…挿入口、２…カード、３…カード、４…ピン、１１…ハウジング、１１ａ…金属板部、１１ｂ…樹脂部、１２…底板部、１３…右側壁部、１４…左側壁部、１５、１６…端子保持部、１７…ロック部、１８…延在部、１９…係合突起、２１…延在部、５１、５２…接続端子、５１ａ、５２ａ…接触部、５１ｂ、５２ｂ…基板接続部、５３…イジェクタ、５４…イジェクトバー、５４ａ…押し込み部、５５…イジェクトレバー、５５ａ…支軸、５６…第１接点部材、５７…第２接点部材、６１…シェル、６２…天板部、６３…側板部、６４…後板部、６５…係合孔、６６…実装部、６７…第１延在部、６７ａ…凹陥部、６８…第２延在部、６９…ロック部、１０１…トレイ、１１１…トレイ本体、１１２、１１３…カード搭載部、１１４…被係合部、１１４ａ…ロック溝、１１４ｂ…傾斜部、１２１…前板部、１２２…貫通孔
【図１】
0006435178.tif 000002
【図２】
0006435178.tif 000003
【図３】
0006435178.tif 000004
【図４】
0006435178.tif 000005
【図５】
0006435178.tif 000006
【図６】
0006435178.tif 000007
【図７】
0006435178.tif 000008
【図８】
0006435178.tif 000009
【図９】
0006435178.tif 000010
【図１０】
0006435178.tif 000011
【図１１】
0006435178.tif 000012
【図１２】
0006435178.tif 000013